(57)【要約】【課題】地震の揺れで根石が損傷しないように補強する。【解決手段】根石の上下２箇所を、補強金具３とボルト５を用いて互に結合する。補強金具はステンレス製、角筒形であり、４辺の各々に長孔があけており、これら長孔に適合するように、根石の各々にボルト孔６を穿設する。このボルト孔に根石の外側からボルト５を通して、金具の長孔３ａから出たボルトの先にナット７を螺合して締め付ける。【選択図】図４
2006233595.tif 000002
【特許請求の範囲】
【請求項１】
墓の周囲を囲む板状の根石の角部内側に直角辺を有する補強金具あてがい、該根石を貫通したボルト孔にボルトを通して該補強金具の各直角辺と該根石を緊締した墓の外柵。
【請求項２】
該根石の外面に該ボルト孔と同心の窪みを設け、該窪みに該ボルトの頭を納めると共に、該窪みに石材製のダボを嵌め込んだ請求項１に記載の墓の外柵。
【請求項３】
該補強金具を角筒状に形成し、基礎上に立て設けた鉄筋をその角筒の中に導き、該角筒内部にコンクリートを打設した請求項１または２に記載の墓の外柵。
【請求項４】
該補強金具を角筒状に形成し、その角筒の内側辺に固定した長ボルトを墓の内部に延設し、このボルトの先に納骨堂の壁板を固定するようにした請求項１、２または３に記載の墓の外柵。
【発明の詳細な説明】
【技術分野】
【０００１】
本発明は地震で壊れ難いようにした墓の外柵に関する。
【背景技術】
【０００２】
墓の外柵が地震の揺れで壊れるのを防止するために、従来から、図８に示すように、縦横の根石同士をボルトと金具を用いて結合している。しかし、ボルト３０は根石２に立て込んだアンカーボルトであり、大きな地振動を受けると、簡単に抜けてしまう。また、金具３１は単にＬ字形に構成したもので、これも大きな力を受けると変形しやすい。
【発明の開示】
【発明が解決しようとする課題】
【０００３】
この発明は、従来のこのような従来の墓の構造上の問題を解消することを課題とする。
【課題を解決するための手段】
【０００４】
この発明の外柵は、墓の周囲を囲む板状の根石の角部内側に直角辺を有する補強金具をあてがい、根石を貫通したボルト孔にボルトを通して各直角辺と根石を緊締する（請求項１）。このようにボルトを根石に貫通させるようにしたので、地震の際に大きな力を受けても、ボルトが抜け難くくなり、金具と相まって、根石同士を強固に結合することができる。
【０００５】
根石にボルトを貫通させると、ボルトの頭が外柵の表面に現れてしまい、見栄えが悪くなる。そこでこの発明では、根石の外面にボルト孔と同心の窪みを設け、その窪みにボルトの頭を収め、頭を隠すために窪みに石材製のダボを嵌め込むようにする（請求項２）。こうすれば、ダボで隠れてしまってボルトが見えないようになり、ダボは石材製なので、外柵とのマッチングもよい。
【０００６】
補強金具はＬ字形のものでもよいが、強い力がかかると、２辺が直角を保てなくなり、開いたり狭まったりと変形しやすい。そこで、四角形や直角三角形などの断面形状を持った角筒状の補強金具を用いることで、補強金具の変形を防止することができる。
【０００７】
さらに角筒状の補強金具を使い、基礎上に立て設けた鉄筋をその中に導き、角筒内部にコンクリートを打設することもできる（請求項３）。こうすれば、鉄筋を介して外柵が基礎にしっかり固定されるので、さらに地震に強くなる。
【０００８】
また、補強金具を角筒状に形成し、角筒の内側辺に固定した長ボルトを墓の内部に延設し、このボルトの先に、納骨堂の壁板を固定するようにすれば（請求項４）、納骨堂と外柵が一体になり、強固な墓を構築することができる。
【発明を実施するための最良の形態】
【０００９】
図１は墓の基礎部分の斜視図であり、まず、基礎コンクリート１を打ち、その上に根石２を矩形に並べる。根石の上に敷石２０を並べ、その上の周囲に欄干２１（図２）が、中央に石塔２２（図３）が載る。
【００１０】
根石２は天然石を板状に加工したもので、図４に示すように、上下２箇所を、補強金具３とボルト５を用いて互に結合する。補強金具はステンレス製、角筒形であり、４辺の各々に長孔があけてある。これら長孔に適合するように、根石の各々にボルト孔６を穿設する。このボルト孔に根石の外側からボルト５を通して、金具の長孔３ａから出たボルトの先にナット７を螺合して締め付ける。
このように通しボルトで締め付けるようにしたので、従来のアンカーボルトのように地震の際に抜けることがなく、根石と根石を強固に結合することができる。なお、根石と根石の合わせ面には予め接着剤を塗布しておく。
【００１１】
図５は結合部の断面図であり、根石２の外面にボルト孔６と同心に窪み９を設け、その中にボルト５の頭５ａ（またはナット）が沈み込むようにする。さらに窪み９に飾りダボ１０を嵌め込む。ダボは根石と同じ石材からきのこ形に削り出したもので、茎１０ａの部分を窪みに嵌入、接着する。こうして外にボルトやボルト孔が現れないので、見栄えよく仕上げることができる。
【００１２】
図６は基礎コンクリート１に立てた鉄筋１１を利用して外柵自体を補強したものである。角筒の補強金具３は、この鉄筋の中に通してから根石にボルト締めする。その後、型板（図示しない。）を上下の補強金具の外面に取り付けて鉄筋の周りを覆い、その中にコンクリート１２を打設するようにする。このものでは、根石が鉄筋を介して基礎コンクリートに固定されるので、根石のずれや浮き上がりを防止できる。
【００１３】
図１において符号１３は納骨堂の左右の壁石であり、この石は前側の根石２から後側の根石２まで達しており、その間が納骨堂１５になっている。この壁石１３の端部上下にボルト孔をあけ、これに長いボルト１６を通してナット１７で固定する（図７も参照）。この長ボルト１６の先を、根石と根石を結合している角筒状の補強金具３の内側辺の孔に挿入し、ナット１７で固定する。こうすることで、壁石が左右に動かないようしっかりと固定することができる。
【００１４】
なお、壁石と根石の結合は、補強金具を使って根石同士の場合（図４）と同じように行うこともできる。
【００１５】
根石２の上には、敷石２０や欄干２１が載るが、これらの石をしっかり固定するためスピンドル１９を用いる。図４に示すように、根石２の上に垂直に孔１９をあけ、その中に挿入してスピンドル１９（ステンレス製）を立てる。一方、敷石２０および欄干２１のそれぞれに孔１９ａをあけておき、これらの孔にスピンドルの上部を挿入するようにしてこれらの石を根石２の上に載置する（図２）。こうすることで、これらの石を根石の上にきちんと位置決めして、地震の揺れでズレないようにすることができる。
【図面の簡単な説明】
【００１６】
【図１】墓の基礎部分の斜視図である。
【図２】墓の側面図である。
【図３】墓の中央断面図である。
【図４】根石と根石の結合を示す斜視図である。
【図５】図４のボルトの軸に沿う断面図である。
【図６】図４の構成をさらに鉄筋で補強した図である。
【図７】納骨堂の壁の補強構造を示す平面図である。
【図８】根石同士の従来の補強構造を示す平面図である。
【符号の説明】
【００１７】
２    根石
３    補強金具
５    ボルト
６    ボルト孔
９    窪み
１１  鉄筋
１２  コンクリート
１３  納骨堂壁石
１６  長ボルト
１７  ナット
【図１】
2006233595.tif 000003
【図２】
2006233595.tif 000004
【図３】
2006233595.tif 000005
【図４】
2006233595.tif 000006
【図５】
2006233595.tif 000007
【図６】
2006233595.tif 000008
【図７】
2006233595.tif 000009
【図８】
2006233595.tif 000010